(57)【要約】【課題】判断が簡潔で、コストおよび電気消耗量を押さえた電子おむつとその製造方法を提供する。【解決手段】電子おむつはおむつ本体１とセンサー２とコントローラーとで構成される。おむつ本体１は上乾燥層１０と下乾燥層１１と、これらの上下乾燥層１０、１１の中間に挟まれて設置される吸湿層１２とで形成される。センサー２は上乾燥層１０及び／或いは下乾燥層１１に設置され、下層フィルム２０を有する。下層フィルム２０の上表面２００にあらかじめ二本の導電体２０１、導電体２０２を設置する。上乾燥層１０或いは下乾燥層１１に二導線或いは三導線のセンサー２を接着剤等で固くはり付ける。センサー２の末端はおむつの上端又は下端に接して、コントローラーと接続する。コントローラーからパワーを供給し、センサー２で尿による吸湿層１２の湿りを感知し、コントローラーにより報知する。【選択図】    図１
2004230135.tif 000002
【特許請求の範囲】
【請求項１】
センサー供給バンドを使用し、前記センサー供給バンドは連続式のバンド体を有し、前記バンド体はその表面に複数のセンサーを等間隔に貼り付け、互いに隣り合う二個の前記センサーの間には切り取り線を設け、各一個のセンサーを切り取り線から引き離し、接着剤或いは高周波熔接機でおむつの上乾燥層或いは下乾燥層の内表面にはり付けることを特徴とする電子おむつの製造方法。
【請求項２】
更にセンサー供給箱を使用し、前記センサー供給箱の中に複数の前記センサーを重ね合わせて置き、自動式設備と併用し、前記センサーを一個ずつ接着剤或いは高周波熔接機で一個のおむつの上乾燥層或いは下乾燥層の内表面にはり付けることを特徴とする請求項１に記載の電子おむつの製造方法。
【請求項３】
少なくとも上乾燥層と下乾燥層と前記上乾燥層と前記下乾燥層との中間に挟まれる吸湿層とで形成されるおむつ本体と、
前記おむつ本体の前記上乾燥層或いは下乾燥層に固設されて前記おむつ本体の外側に伸びるセンサーと、
前記センサーの一端に設けられる連続片とを備えることを特徴とする電子おむつ。
【請求項４】
前記センサーは下層フィルムと、前記下層フィルムの上表面に設置される複数の導電体と、前記下層フィルムの上表面に貼り付けられる上層フィルムとで形成され、前記センサーは柔軟性と良好な導電性を有することを特徴とする請求項３に記載の電子おむつ。
【請求項５】
前記センサーは下層フィルムを備え、前記下層フィルムの上表面に複数の導電体を持って形成されて、前記センサーは柔軟性と良導電性を有することを特徴とする請求項３に記載の電子おむつ。
【請求項６】
更に吊し式ディスプレイを備え、前記吊し式ディスプレイは看護人が見易い場所に吊りさげられることを特徴とする請求項３に記載の電子おむつ。
【請求項７】
上乾燥層と下乾燥層と、前記上乾燥層と前記下乾燥層との中間に設けられる吸湿層とで形成されるおむつ本体と、
前記上乾燥層或いは前記下乾燥層に附着される連続片を有するセンサーと、
二つのターミナルを有するさしこみ孔を持ったコントローラーとを備え、
前記センサーの前記連続片は前記コントローラーの前記さしこみ孔にさしこまれ、前記コントローラーは前記センサーが感知する信号源を受信し、前記おむつ本体は尿で湿った信号を発生することを特徴とする電子おむつ。
【請求項８】
前記コントローラーは前記センサーの導電体を挟み付け、前記センサーから来る信号源を受信して、前記おむつ本体が尿で湿った警報信号を発生することを特徴とする請求項７に記載の電子おむつ。
【請求項９】
吸湿層を有するおむつと、
二つのターミナルを有するさしこみ孔が設けられているコントローラーと、
連続片を有するセンサーとを備え、
前記連続片は前記コントローラーの前記さしこみ孔にさしこまれ、前記センサーと前記コントローラーが連接され、前記センサーは前記おむつ本体の中に設置され、前記コントローラーは前記センサーが感知した信号を受信して前記おむつ本体が尿で湿ったことを処理する様に構成されていることを特徴とする電子おむつ。
【請求項１０】
前記センサーの外表面は吸水材で包まれていることを特徴とする請求項９に記載の電子おむつ。
【請求項１１】
上乾燥層と下乾燥層と、前記上乾燥層と前記下乾燥層との中間に設けられている吸湿層とを有するおむつ本体と、
前記上乾燥層及び／或いは前記下乾燥層に印刷で設けられている、複数の導電体により形成されるセンサーと、
前記センサーと連接されて前記センサーから来る信号源を受信して前記おむつ本体が尿で湿ったことを表示する警報信号を発生するコントローラーとを備えることを特徴とする電子おむつ。
【請求項１２】
少くとも上乾燥層と下乾燥層と、前記上乾燥層と前記下乾燥層との中間に設けられている吸湿層とを有するおむつ本体と、
前記上乾燥層或いは下乾燥層の内表面に設けられるセンサーと、
前記センサーと連接され、ＩＣにより形成されるコントロール回路を有し、前記ＩＣは焼き付けているドライブプログラムを有するコントローラーとを備え、
前記コントローラーは前記センサーが感知した信号源を受信してそれを計算且つ転換して警報信号を出力してＬＥＤ指示ランプ又はブザーに或いはＬＣＤディスプレイに送り、それぞれ光や音や尿湿り時間を表示して看護人がそれを見たり聞いたりしておむつ本体を適時に取り換えられる様に構成されることを特徴とする電子おむつ。
【請求項１３】
前記コントロール回路は複数の信号源を供給し、且つ複数の検測方式Ａと検測方式Ｂとを持ち、前記複数の信号源は前記センサーの複数の導電体の構造に応じ、複数の前記導電体のうち二個の前記導電体は上フィルムの孔で尿を浸透させて第一段の尿湿り状態を感知して、第一種の尿湿り状態信号源を発生して、前記コントローラーが第一種の警報信号を発生し、複数の前記導電体のうち外の二個の前記導電体は上フィルムの別の一孔から尿を浸透させて互いに通じ、第二段の尿湿り状態を感知し、第二種尿湿り信号源を発生して、前記コントローラーが第二種警報信号を発生して、適時に前記おむつ本体が取りかえられる様に構成されていることを特徴とする請求項１２に記載の電子おむつ。
【請求項１４】
前記コントローラーは信号源に対し連続的検測を施行可能であり、前記コントローラーは前記センサーに連続的に微小なパワーを供給して、いつでも前記おむつ本体の尿湿り状態を感知可能であり、或いは前記コントローラーは間欠的に微小なパワーを前記センサーに供給し、一旦前記おむつ本体が尿で湿ったことを感知したらすぐ前記センサーに供給するパワーを切断し、前記おむつ本体がとりかえられるまで警報信号を提供する様に構成されることを特徴とする請求項１２に記載の電子おむつ。
【発明の詳細な説明】
【０００１】
【発明の属する技術分野】
本発明は、電子おむつの製造方法とその構造に関する。
【０００２】
【従来の技術】
従来一般に販売されている紙おむつは部分のものにその外面の防水層に水感応インキを塗粧しておいて、この水感応インキが紙おむつの内防水層の乾湿状態によりその色の変化によりおむつを取り換える判断をするものである（特許文献１、特許文献２、特許文献３、特許文献４、特許文献５、特許文献６参照）。
【０００３】
【発明が解決しようとする課題】
上述の紙おむつの欠点は防水層の状態のより色の変化を発生して、紙おむつの取り換えの判断に供するが、その水インキ感応線は一條の細いものなので、その色の変化が明白でなく、看護人が使用者のズボンを少し引きおろして、初めて紙おむつの色変化をはっきりと見ることができ、それで取り換えるか否か決定する。それで紙おむつを使用する者が成人でも子供でも不快な湿った感覚を受ける。更に夜間の光線が暗い時には、たとえ紙おむつが尿のために湿っていても、感応インキの色変化を明白に見とれないので、取り換える判断を容易にすることができない。
【０００４】
また紙おむつの取り換えは感応インキの色変化を基準とするので、雇用した看護人がなすべき注意と動作せず、或いはわざと知らぬふりをして紙おむつを取り換えなくても雇用者は看護人の怠惰を証明する明白な証拠得られない。更に水感応インキ條線は空気中の湿度を受けて色変化を発生し易く、若しも大気中の湿度が高い時には、色を変化するので看護人が誤って判断する可能性もある。
【０００５】
台湾の特許文献１と特許文献２と特許文献３の特許案は紙おむつの中に導電網或いは金属箔をはって、おむつが湿ったら、それを感知する様に構成されていて、理論上は使用可能であるが、それを自動式に製造するには技術的に困難があり、多量生産を達成することが不可能である。
【０００６】
又更に特許文献１と特許文献４の案件はそのコントロール回路に比較回路の方式を使用しているが、その製造コストは高く、電気の消耗量も大きく、ごく短い時間をすぎたらその電池をとりかえなければならず、あまり便利でない。
【０００７】
又、特許文献５はワイヤレス信号の発射装置と受信回路で信号を伝送する様に構成されていて、そのコストが極めて高く、経済収益に符合せず、且つ前記二者の案件と同じ電気消耗量が大きい欠点もある。
【０００８】
【特許文献１】
台湾特許公告第３１２１３４号
【特許文献２】
台湾特許公告第３８８７１２号
【特許文献３】
台湾特許公告第４２２０２８８号
【特許文献４】
台湾特許公告第３１２１３４号
【特許文献５】
台湾特許公告第４２２０８８号
【特許文献６】
台湾特許公告第３８８１７２号
したがって本発明の目的は判断が簡潔で、コストおよび電気消耗量を押さえた電子おむつとその製造方法を提供することにある。更に自動的に電子おむつを多量生産できる方法をも提供する。
【０００９】
【課題を解決するための手段】
上述の目的を達成するために本発明の請求項に記載の電子おむつとその製造方法は、紙おむつを上乾燥層と下乾燥層と、この上下乾燥層の中間に吸湿層を設けて構成し、尿を吸収可能とする。更に上乾燥層或いは下乾燥層に二導線或いは三導線の感応導線を接着剤等で固くはり付ける。各導線の末端はおむつの上端又は下端に接して、この末端にプラグを連接して、コントローラーに設けているソケットにはめる。このコントローラーはプラグにはめておむつと組み付けたりはずしたりを可能とする。更にコントローラーはコントロール回路を持ち、ドライブプログラムを焼き付けたＩＣをこの回路に使用し、コントロール回路は連続的に或いは間欠的に感応導線に微小な電力を供給する様にしておく。
【００１０】
本発明の感応導線の二導線はおむつの吸収した尿のために電気が通じたらコントロール回路がそれを感知して、作動し、拡声器から音を出し、又更にランプを点灯させて看護人に警報を発しておむつが湿れて取り換えねばならない時間が来たことを知らせる。三導線の場合はその中の二導線が比較的短く、別の一導線が比較的長く、短い二導線の中一導線が相い通じてコントロール回路がそれを感知してその表示をするが、未だおむつが取り換える必要がない。若しおむつが吸収した尿の量が多い時は長い導線と接地の長い導線が相い通じてコントロール回路がそれを感知して拡声器から音を発生させ又ランプを点灯して警報を発する。
【００１１】
【発明の実施の形態】
以下、本発明の実施例を図面に基づいて説明する。
図１から図４に本発明の第一、第二、第三、第四実施例による電子おむつを示し、おむつ本体１とセンサー２とコントローラー３とで構成される。
【００１２】
おむつ本体１は上乾燥層１０と下乾燥層１１と、これらの上下乾燥層１０、１１の中間に挟まれて設置される吸湿層１２とで形成される。
【００１３】
センサー２（２Ａ、２Ｂ、２Ｃ）は上乾燥層１０及び／或いは下乾燥層１１に設置され、図１、図２、図３又は図４に示すように皆下層フィルム２０を有する。図１に示すように、この下層フィルム２０は屈折性のプラスチック又はゴム或いはシリコンラバーにより形成され、その上表面２００にあらかじめ二本の導電体２０１、導電体２０２を設置する。或いは図２および図３に示すように、三本の導電体２０１、導電体２０２、導電体２０３を設置する。又は複数の導電体を設置する。更に図７および図９に示すように、上層フィルム２１を設け、下層フィルム２０の材質と同じ材質のプラスチック、ゴム又はシリコンラバーにより形成され、下層フィルムの上表面２００の上に貼り付ける。或いは図５に示すように上層フィルム２１を省くことも可能であり、センサー２が柔軟性がよく且つ導電性もよければよい。尚、図４はセンサー２の第四実施例２Ｃを示し、導電線を使用している。
【００１４】
上述のセンサー２（即ち２Ａ、２Ｂ、２Ｃ）の下表面或いは上表面に接着材を塗粧すれば、自動式設備加工で前記のおむつ本体１と結合される。
それでおむつ本体の中の湿りがある濃度に達すると、センサー（２Ａ、２Ｂ、２Ｃ）の二つの導電体２０１、導電体２０２或いは三つの導電体２０１、導電体２０２、導電体２０３が相互に電気的に相い通じて、トリガー信号を発生する。
【００１５】
図６、図８および図１１に示すように、センサー２（２Ａ、２Ｂ、２Ｃ）はおむつ本体１の外側の前部、或いは後部、或いは前部と後部、或いは側面部に設置され、使用者がベッド横はる姿勢、例えば仰向き又は横向きに相応させることが可能である。又、センサー２は二導電体又は三導電体或いは複数の導電線でもそのセンス方式は図２が示す様に、導電体の末端を裸にするか、或いは図３と９とが示す様に上層フィルム２１の上に、或いは下層フィルム２０に孔２１２又は複数の孔２１２、孔２１２Ａを設けて、おむつの尿と導電体がたやすく接触できる様にして、尿で湿った信号を発生させる。
【００１６】
次にセンサー２（２Ａ、２Ｂ、２Ｃ）はその一端に連接器２３を形成してコントローラー３のさしこみ孔３０にさしこみセンサー２（２Ａ、２Ｂ、２Ｃ）をコントローラー３に連結させる。図５から図１１はこの連接器２３とセンサー２（２Ａ、２Ｂ、２Ｃ）の間の設置方法を示す。
【００１７】
更に、図５と図６が示す様にセンサー（２Ａ、２Ｂ、２Ｃ）の一端は硬膜２３１による連接片２３が形成され、この連結片２３を直接コントローラー３のさしこみ孔３０にさしこみ、且つ二つの導体２０１、導体２０２がさし込み孔３０の中のターミナル３００、ターミナル３０１に固く挟まれて接触し、それでセンサー２（２Ａ、２Ｂ、２Ｃ）はコントローラーと連接される。
【００１８】
図７と図８に示すように、センサー２（２Ａ、２Ｂ、２Ｃ）の一端に固体フィルム２３１を形成させ、前述の連接片２３の功能をさせる。
この固体フィルム２３１をコントローラー３のさしこみ孔３０Ａの中にさしこみ、導電体２０１、２０２をさしこみ孔３０の中のターミナルと接触させると、センサー２（２Ａ、２Ｂ、２Ｃ）がコントローラー３と連接される。
【００１９】
次に図９と図１０に示すように、センサー２（２Ａ、２Ｂ、２Ｃ）の一端に連接片２３を設け、この連接片２３は快速プラグ２３にして、コントローラー３のさしこみ孔３０Ｂの中にさしこまれ、それでセンサー２（２Ａ、２Ｂ、２Ｃ）がす早くコントローラー３と連接可能となる。
【００２０】
次に図１１が示す様にセンサー２Ｃの一端にプラグ２３を連接し、このプラグ２３は快速プラグ２３３にして、コントローラー３のさしこみ孔３０Ｃにさし込まれて、センサー２がコントローラー３と素早く連接可能である。
【００２１】
おむつ本体１が尿で湿ったら、コントローラー３を早くセンサー２からはずして、新しいおむつ本体１についているセンサー２（２Ａ、２Ｂ、２Ｃ）に連接する。それで使用したおむつ本体１は棄て、コントローラー３は繰り返し使用可能であり、この電子おむつのコストをさげられる。
【００２２】
又、おむつ本体１の前部或いは後部にコントローラー３の固定具２４を付ける。固定具２４はひっかけ具（図６、８と１１が示す）か又はベルクロバンド（Ｖｅｌｃｒｏ  ｂａｎｄ）（図１０に示す）でもよく、それでコントローラー３を取り外し可能とする。
【００２３】
次に図１２は本発明の電子おむつの第五実施例を示し、おむつ本体１と、センサー２Ｄとコントローラー３とで構成される。おむつ本体１は上乾燥層１０と下乾燥層１１と、この上下乾燥層１０、１１の中間に挟まれている吸湿層１２で形成される。センサー２Ｄは上乾燥層１０と／或いは下乾燥層１１に印刷で設置され、前述の第一実施例から第四実施例と同じ信号感知功能を持っている。尚、おむつ本体１の前端にコントローラー３を挟んで設置し、センサー２Ｄがコントローラー３と連接されて、コントローラー３はセンサー２Ｄからくる信号を受けて警報を発生する。
【００２４】
本発明の実施例の電子おむつを自動式に製造する方法は、センサー供給バンド４（図１３と図１４に示す）を準備し、これを別の自動化設備と併用して、センサー２をおむつ本体の外表面にはり付ける。即ちセンサー供給バンド４の上にあるセンサー２（２Ａ、２Ｂ、２Ｃ）をおむつ本体１の上乾燥層１０或いは下乾燥層１１の上に引っ張っておく。センサー供給バンド４は連続式のバンド体４０を持ち、バンド体４０には細長いセンサー２（２Ａ、２Ｂ、２Ｃ）が同じ間隔で規則的に設置されてあり、且つ隣り合うセンサー２（２Ａ、２Ｂ、２Ｃ）の間には一切り取り線が付けてあって、各センサー２を切り取れる。それでセンサー２をおむつ１本体の上に置いてから切り取ったあと接着剤又は両面テープ或いは高周波熔接機でそのセンサー２をおむつ本体１の上乾燥層１０又は下乾燥層１１の内表面にはり付ける。この様にしてこの電子おむつを自動式に製造する。
【００２５】
又、図１５と図１６に示すセンサー供給箱４Ａを設けて、その中に複数のセンサー２（２Ａ、２Ｂ、２Ｃ）を重ねておき、自動化設備と併用して粘着剤或いは両面テープ或いは高周波熔接機でセンサー２（２Ａ、２Ｂ、２Ｃ）をおむつ本体１の上乾燥層１０又は下乾燥層１１の内表面にはり付ければ、容易に電子おむつを自動的に製造可能である。
【００２６】
本発明の実施例は、前述のセンサー２（２Ａ、２Ｂ、２Ｃ）をおむつ本体１に貼り付けて使用後はおむつ１本体と一緒に棄てて新しいものと取りかえ、それで使用者が湿ったおむつをそのまま着用しないで床ずれの発生を防止するために、コントローラー３をセンサー２（２Ａ、２Ｂ、２Ｃ）とおむつ本体１から分離させる様にする。それで図１７が示す様に普通の紙おむつ１Ａを使用者が着用する前に或いはその後にセンサー２（２Ａ、２Ｂ、２Ｃ）を紙おむつ１Ａの中に置いてから、センサー２を不織布（ｔｅｃｈｎｉｃａｌｆａｂｒｉｃ）又は吸水棉紙で包んでおく。それでセンサー２はおむつ１Ａの中の状態を感知可能とする。更にこのセンサー２（２Ａ、２Ｂ、２Ｃ）は適当に洗條して消毒すれば繰り返して使用可能である。
【００２７】
又、図１８、図１９、図２０、図２１は本発明の電子おむつを色々に応用した例を示す。図１８のコントローラー３は導線で一有線外掛け式ディスプレー３３に連結している。それで看護人が見易い場所或いは使用者の胸の前に掛けておけば簡単におむつの状態を観察でき、それで適当な処置をとることが可能となる。
【００２８】
或いは図１９が示す様に、コントローラー３の中に無線発射器を装置し、この無線発射器が発射する信号を接収出来る一無線外掛け式ディスプレイ３４を設けて、看護人がこのディスプレイ３５を携帯すれば看護人が看護するのに便利で使用人（病人）も湿ったおむつをすぐとりかえられる心休めがある。
【００２９】
次に図２０はコントローラー３に一有線グループ吊し式ディスプレイ３５を連接したものを示し、無線を使用出来ない病院や診療所に使用する。それでこのディスプレイ３５を看護カウンターの所に吊しておけば、複数の患者のおむつの状況を監視出来、看護人の人数を減少できる。
【００３０】
又、図２１は複数のおむつを直接一有線グループ吊し式ディスプレイ３６に連接したものを示し、無線を使用出来ない病院や診療所等に使用される。このディスプレイ３６を看護カウンターの所に吊しておけば、複数の患者のおむつの状況を監視して、必要な看護人の人数を減少出来る。
【００３１】
次に図２１は複数の電子おむつを直接一グループ式外掛ディスプレイ３６と連接したものを示し、無線式のものを使用できない病院や診療所に適用され、看護カウンターの所に設置し、ディスプレイ３６を見てどの電子おむつが湿ったかすぐ判断でき、非常に便利で、又看護人の人数を減少できる。
【００３２】
又、図２３或いは図２４が示す様に、コントローラー３の中にはコントロール回路６を備え、このコントロール回路６はＩＣ６０により構成され、このＩＣ６０はドライブプログラムを焼き付けておき、センサー２（２Ａ、２Ｂ、２Ｃ、２Ｄ）を信号源６１に連接し、そのセンサー２（２Ａ、２Ｂ、２Ｃ、２Ｄ）から来る信号を演算し且つ転換して警報信号６２をＬＥＤ又はスピーカーに送ってランプを点灯したり音を出させたりして看護人の注意を引く。又更にＬＣＤを附設しておむつが湿った時間を表示することが出来る。それで若しもあるおむつが湿ってからある一定時間を過ぎても看護人がそのおむつを取りかえない場合にはスピーカーから警示音を出させて看護人の注意を引き起して早くそのおむつを取りかえる様に催促して、使用者（病人）の生活状況をより気持ちよくさせることができる。同時に看護人の故意な怠慢を防止可能である。
【００３３】
更にコントローラー３は信号源に対して連続式感知方式を実施することができる。即ちコントローラー３からセンサー２（２Ａ、２Ｂ、２Ｃ、２Ｄ）にごく微小な連続するパワーを供給し、いつでもおむつ本体１の状況を知ることができる様にする。或いは間欠的に微小なパワーをセンサー２（２Ａ、２Ｂ、２Ｃ、２Ｄ）に供給し、その間欠的時間Ｈｒは秒か分で計算し、ある適当な時間をおいておむつ本体１の状況を知ることが可能である。
【００３４】
その外、コントローラー３のコントロール回路は図２３が示す様に複数の信号源に対して複数の感知方式、Ａ、Ｂを具備できる。その複数の信号源６１Ａと信号源６１Ｂは図２が示すおむつ本体１に合せて、センサー２（２Ａ、２Ｂ、２Ｃ、２Ｄ）は複数の導電体２０１、導電体２０２、導電体２０３を使用し、上層フィルムの孔２１２を利用して尿を浸透させて二つの導電体２０１、導電体２０２を相い通じさせて、第一段の尿湿り状態を感知し、第一種の尿湿り信号源６１Ａとする。次に上層フィルムの孔２１２Ａを利用して尿を浸透させ、二つの導電体２０２、導電体２０３を相い通じさせて、第二段の尿湿り状態を感知し、第二種の尿湿り信号源とする。若し尿湿りが少ない時（特に男性）は、第一種の尿湿り信号６１Ａが発生し、第一種のＬＥＤランプ６２０緑色が点灯されて、未だおむつ本体１を取りかえなくてもよいことを表示する。若し尿が多い場合には第二種の尿湿り信号減６１Ｂが発生し、コントローラー３のＬＥＤランプ６２１赤色が点灯され、おむつ本体１を取りかえなければならないことを表示する。それでおむつ本体１が取りかえられて使用者は気持ちよくなる。或いは導電体２０１、導電体２０２、導電体２０３は長さを不同にし、導電体２０２で共用接地線として複数の信号源の感知の功能を持たせて、おむつ本体１を取りかえられる様にする。
【００３５】
本発明の実施例中のＩＣ回路の作動方式は図２４が示す様に、パワーを起動させた時、起動方式の偵察により系統の状態を検査してからその功能をテストし、コントローラー３から連続的或いは間欠的にパワーをセンサー２（２Ａ、２Ｂ、２Ｃ、２Ｄ）に供給し、おむつ本体１の湿り状態の信号源を感知し、若しも信号源がＹＥＳの場合はおむつ本体１がすでに湿ったことを代表し、この時コントローラー３は直ちにセンサー２（２Ａ、２Ｂ、２Ｃ、２Ｄ）に供給するパワーを切断する。然し、コントローラー３の警報信号は続いて発出されて、看護人がおむつ本体１を新しいものにかえたら信号源は零になり、コントローラー３は待機の状態に進んで次回の信号を待つ。
【００３６】
【発明の効果】
本発明の中のコントローラーはおむつ本体から取りはずされるので繰り返し使用でき、使用者の負担を軽減する。又、本発明のセンサーはおむつ本体と一緒に棄てる様に形成されるし、はがして繰り返し洗條消毒しても使用できる。更にセンサー供給バンドを自動設備と併用して電子おむつと自動式に大量生産できる。本発明の電子おむつは有線或いは無線グループ吊り式ディスプレイを併用すれば複数の使用者（病人）のおむつと一緒に監視処置することが出来て、それで看護人の人数も減少できる。
【図面の簡単な説明】
【図１】本発明の電子おむつの第一実施例を示す断面図である。
【図２】本発明の電子おむつの第二実施例を示す部分断面斜視図である。
【図３】本発明の電子おむつの第三実施例を示す部分断面斜視図である。
【図４】本発明の電子おむつの第四実施例を示す部分断面斜視図である。
【図５】本発明の電子おむつの中のセンサーの第一実施例を示す斜視図と部分拡大図である。
【図６】本発明の電子おむつのとセンサーの第一実施例とコントローラーの第一実施例を示す分解斜視図と部分拡大図である。
【図７】本発明の電子おむつのセンサーの第二実施例を示す斜視図と部分拡大図である。
【図８】本発明の電子おむつとセンサーの第二実施例とコントローラーの第二実施例を示す分解斜視図と部分拡大図である。
【図９】本発明の電子おむつのセンサーの第三実施例を示す斜視図と部分拡大図である。
【図１０】本発明の電子おむつとセンサーの第三実施例とコントローラーの第三実施例を示す分解斜視図と部分拡大図である。
【図１１】本発明の電子おむつとセンサーの第四実施例とコントローラーの第四実施例を示す分解斜視図と部分拡大図である。
【図１２】本発明の電子おむつの第四実施例とセンサーの第五実施例とコントローラーを示す分解斜視図と部分拡大図である。
【図１３】本発明の電子おむつの製造方法の第一実施例を示す斜視図である。
【図１４】本発明の電子おむつの製造方法の第二実施例を示す斜視図である。
【図１５】本発明の電子おむつの製造方法の第三実施例を示す斜視図である。
【図１６】本発明の電子おむつの製造方法の第四実施例を示す斜視図である。
【図１７】本発明の実施例により電子おむつとコントローラーとセンサーとが分離される様子を示す斜視図である。
【図１８】本発明の電子おむつに使用される有線式ディスプレイを示す斜視図である。
【図１９】本発明の電子おむつに使用される無線式ディスプレイを示す斜視図である。
【図２０】本発明の電子おむつに使用されるグループディスプレイの第一実施例を示す正面図である。
【図２１】本発明の電子おむつに使用されるグループディスプレイの第二実施例を示す正面図である。
【図２２】本発明の中のＩＣ回路のソフトウェアの作動のフローチャートである。
【図２３】本発明の中のコントローラーの電気回路の第一実施例を示す回路図である。
【図２４】本発明の中のコントローラーの電気回路の第二実施例を示す回路図である。
【符号の説明】
１    おむつ
２    センサー
２Ａ  センサー
２Ｂ  センサー
２Ｃ  センサー
２Ｄ  センサー
３    コントローラー
４    材料供給バンド
６    コントロール回路
１０    上乾燥層
１１    下乾燥層
１２    吸湿層
２０    下フィルム層
２３    連接片（器）
２４    固定具
３３    有線式外かけ式ディスプレイ
３４    無線式ディスプレイ
３５    グループ外かけ式ディスプレイ
３６    グループ外かけ式ディスプレイ
６０    ＩＣ
６１    信号源
６２    出力警示信号
【図１】
2004230135.tif 000003
【図２】
2004230135.tif 000004
【図３】
2004230135.tif 000005
【図４】
2004230135.tif 000006
【図５】
2004230135.tif 000007
【図６】
2004230135.tif 000008
【図７】
2004230135.tif 000009
【図８】
2004230135.tif 000010
【図９】
2004230135.tif 000011
【図１０】
2004230135.tif 000012
【図１１】
2004230135.tif 000013
【図１２】
2004230135.tif 000014
【図１３】
2004230135.tif 000015
【図１４】
2004230135.tif 000016
【図１５】
2004230135.tif 000017
【図１６】
2004230135.tif 000018
【図１７】
2004230135.tif 000019
【図１８】
2004230135.tif 000020
【図１９】
2004230135.tif 000021
【図２０】
2004230135.tif 000022
【図２１】
2004230135.tif 000023
【図２２】
2004230135.tif 000024
【図２３】
2004230135.tif 000025
【図２４】
2004230135.tif 000026